(57)【特許請求の範囲】
【請求項１】
無線通信システムにおいて、第１ｅＮＢ（ｅＮｏｄｅＢ）によってＵＥ（ｕｓｅｒ  ｅｑｕｉｐｍｅｎｔ）の検証されたＣＳＧ（ｃｌｏｓｅｄ  ｓｕｂｓｃｒｉｂｅｒ  ｇｒｏｕｐ）の状態を転送する方法であって、
前記ＵＥのＣＳＧメンバーシップ状態を第２ｅＮＢに転送し、
前記第２ｅＮＢのＣＳＧ  ＩＤ（ｉｄｅｎｔｉｆｉｅｒ）及び前記ＵＥのＣＳＧメンバーシップ状態をＭＭＥ（ｍｏｂｉｌｉｔｙ  ｍａｎａｇｅｍｅｎｔ  ｅｎｔｉｔｙ）に転送し、
前記ＵＥの検証されたＣＳＧメンバーシップ状態を前記ＭＭＥから受信し、
前記ＵＥの検証されたＣＳＧメンバーシップ状態を前記第２ｅＮＢに転送することを含み、
前記第１ｅＮＢは、二重接続においてＭｅＮＢ（Ｍａｓｔｅｒ  ｅＮＢ）であり、
前記第２ｅＮＢは、前記二重接続においてＳｅＮＢ（Ｓｅｃｏｎｄａｒｙ  ｅＮＢ）であり、
前記ＳｅＮＢは、ハイブリッドセルをサービングするＨｅＮＢ（Ｈｏｍｅ  ｅＮＢ）であり、
前記ＵＥは、前記二重接続において前記第１ｅＮＢ及び前記第２ｅＮＢの両方に接続される、方法。
【請求項２】
前記ＵＥのＣＳＧメンバーシップ状態は、ＳｅＮＢ付加要請メッセージを介して転送される、請求項１に記載の方法。
【請求項３】
前記第１ｅＮＢにより転送される前記ＵＥのＣＳＧメンバーシップ状態は、前記第２ｅＮＢにより信頼される、請求項１に記載の方法。
【請求項４】
前記第２ｅＮＢのＣＳＧ  ＩＤ及び前記ＵＥのＣＳＧメンバーシップ状態は、Ｅ-ＲＡＢ（Ｅ-ＵＴＲＡＮ  ｒａｄｉｏ  ａｃｃｅｓｓ  ｂｅａｒｅｒ）修正指示メッセージを介して転送される、請求項１に記載の方法。
【請求項５】
前記Ｅ-ＲＡＢ修正指示メッセージは、前記第２ｅＮＢのセルアクセスモードをさらに含む、請求項４に記載の方法。
【請求項６】
前記Ｅ-ＲＡＢ修正指示メッセージは、ＰＬＭＮ（ｐｕｂｌｉｃ  ｌａｎｄ  ｍｏｂｉｌｅ  ｎｅｔｗｏｒｋ）ＩＤをさらに含む、請求項４に記載の方法。
【請求項７】
前記Ｅ-ＲＡＢ修正指示メッセージは、二重接続のための分離ベアラに対してＥ-ＲＡＢの修正を無視する指示を含む、請求項４に記載の方法。
【請求項８】
前記ＵＥの検証されたＣＳＧメンバーシップ状態は、Ｅ-ＲＡＢ修正確認メッセージを介して受信される、請求項１に記載の方法。
【請求項９】
無線通信システムにおいて、第２ｅＮＢ（ｅＮｏｄｅＢ）によってＵＥ（ｕｓｅｒ  ｅｑｕｉｐｍｅｎｔ）の検証されたＣＳＧ（ｃｌｏｓｅｄ  ｓｕｂｓｃｒｉｂｅｒ  ｇｒｏｕｐ）の状態を受信する方法であって、
前記ＵＥのＣＳＧメンバーシップ状態を第１ｅＮＢから受信し、
前記ＵＥのＣＳＧメンバーシップ状態を信頼し、
前記ＵＥの検証されたＣＳＧメンバーシップ状態を前記第１ｅＮＢから受信することを含み、
前記第１ｅＮＢは、二重接続においてＭｅＮＢ（Ｍａｓｔｅｒ  ｅＮＢ）であり、
前記第２ｅＮＢは、前記二重接続においてＳｅＮＢ（Ｓｅｃｏｎｄａｒｙ  ｅＮＢ）であり、
前記ＳｅＮＢは、ハイブリッドセルをサービングするＨｅＮＢ（Ｈｏｍｅ  ｅＮＢ）であり、
前記ＵＥは、前記二重接続において前記第１ｅＮＢ及び前記第２ｅＮＢの両方に接続される、方法。
【請求項１０】
前記ＵＥのＣＳＧメンバーシップ状態は、ＳｅＮＢ付加要請メッセージを介して受信される、請求項９に記載の方法。
【請求項１１】
前記ＵＥの検証されたＣＳＧメンバーシップ状態が真である場合、前記ＵＥをメンバーとして取り扱うことをさらに含む、請求項９に記載の方法。
【請求項１２】
前記ＵＥの検証されたＣＳＧメンバーシップ状態が真でない場合、
前記ＵＥを非-メンバーとしてダウングレードするか、または前記ＵＥを接続解除し、
前記ＣＳＧメンバーシップ状態に関する前記ＵＥに対するＵＥコンテクストを更新することをさらに含む、請求項９に記載の方法。
【発明の詳細な説明】
【技術分野】
【０００１】
本発明は、無線通信に関し、さらに詳細には、無線通信システムにおける二重接続のためのＨｅＮＢ（ｈｏｍｅ  ｅＮｏｄｅＢ）アクセス制御またはメンバーシップ検証を行う方法及び装置に関する。
【背景技術】
【０００２】
３ＧＰＰ ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
低電力ノードは、モバイルトラフィック急増に対処するのに有望なものと考慮される（特に、室内及び室外のホットスポット構築）。低電力ノードは、一般に送信電力がマクロノード及び基地局のような種類の電力より少ないことを意味する。例えば、ピコｅＮＢ（ｅｖｏｌｖｅｄ  ＮｏｄｅＢ）及びフェムトｅＮＢがこれに該当する。Ｅ−ＵＴＲＡ（ｅｖｏｌｖｅｄ  ＵＭＴＳ  ｔｅｒｒｅｓｔｒｉａｌ  ｒａｄｉｏ  ａｃｃｅｓｓ）及びＥ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）のスモールセル向上は、室内及び室外のホットスポット区域で低電力ノードを用いて性能を向上させる追加的な機能性に焦点を置くであろう。
【０００４】
小型セル向上のための可能な解法の一つとして、二重接続が論議されてきた。二重接続は、与えられた端末（ＵＥ；ｕｓｅｒ  ｅｑｕｉｐｍｅｎｔ）が非-理想的バックホール（ｎｏｎ-ｉｄｅａｌ  ｂａｃｋｈａｕｌ）で接続した少なくとも二つの互いに異なるネットワーク地点により提供される無線資源を消費する動作を指すのに使用される。さらに、ＵＥに対して二重接続に関与する各々のｅＮＢは、互いに異なる役割を仮定することができる。このような役割は、ｅＮＢの電力クラスに必ず依存するのではなく、ＵＥに応じて変わることができる。二重接続は、小型セル向上のための可能な解法の一つでありうる。
【０００５】
ＨｅＮＢ（ｈｏｍｅ  ｅＮＢ）は、３ＧＰＰ  ＬＴＥ  ｒｅｌ-８ないしｒｅｌ-１２において可能なＳ１及びＸ２移動に対して特定された。ＨｅＮＢに対して、アクセス制御及び／またはメンバーシップ検証がＳ１／Ｘ２移動に対し行われることができる。ＨｅＮＢが二重接続においてＳｅＮＢ（ｓｅｃｏｎｄａｒｙ  ｅＮＢ）として利用される場合、アクセス制御及び／またはメンバーシップ検証を行う方法が要求されることができる。
【発明の概要】
【発明が解決しようとする課題】
【０００６】
本発明は、無線通信システムにおいて二重接続のためのＨｅＮＢ（ｈｏｍｅ  ｅＮＢ）アクセス制御及び／またはメンバーシップ検証を行う方法及び装置を提供する。本発明は、ＨｅＮＢが二重接続においてＳｅＮＢ（ｓｅｃｏｎｄａｒｙ  ｅＮＢ）として使用される場合、アクセス制御及び／またはメンバーシップ検証を行う方法及び装置を提供する。
【課題を解決するための手段】
【０００７】
一様態において、無線通信システムにおける第１ｅＮＢ（ｅＮｏｄｅＢ）によりアクセス制御を行う方法が提供される。前記方法は、端末（ＵＥ；ｕｓｅｒ  ｅｑｕｉｐｍｅｎｔ）のＣＳＧ（ｃｌｏｓｅｄ  ｓｕｂｓｃｒｉｂｅｒ  ｇｒｏｕｐ）メンバーシップ状態をＨｅＮＢ（ｈｏｍｅ  ｅＮＢ）である第２ｅＮＢに転送し、前記第２ｅＮＢのセルアクセスモードまたはＣＳＧ  ＩＤ（ｉｄｅｎｔｉｆｉｅｒ）のうち、少なくとも一つを前記第２ｅＮＢから受信し、前記ＵＥの検証されたＣＳＧメンバーシップ状態を前記第２ｅＮＢに転送することを含む。
【０００８】
他の様態において、無線通信システムにおけるＨｅＮＢ（ｈｏｍｅ  ｅＮＢ）である第２ｅＮＢ（ｅＮｏｄｅＢ）によりアクセス制御を行う方法が提供される。前記方法は、端末（ＵＥ；ｕｓｅｒ  ｅｑｕｉｐｍｅｎｔ）のＣＳＧ（ｃｌｏｓｅｄ  ｓｕｂｓｃｒｉｂｅｒ  ｇｒｏｕｐ）メンバーシップ状態を第１ｅＮＢから受信し、前記第２ｅＮＢのセルアクセスモード、ＣＳＧ  ＩＤ（ｉｄｅｎｔｉｆｉｅｒ）、または前記第２ｅＮＢのＰＬＭＮ（ｐｕｂｌｉｃ  ｌａｎｄ  ｍｏｂｉｌｅ  ｎｅｔｗｏｒｋ）ＩＤのうち、少なくとも一つを前記第１ｅＮＢに転送し、前記ＵＥの検証されたＣＳＧメンバーシップ状態を前記第１ｅＮＢから受信することを含む。
【発明の効果】
【０００９】
ＨｅＮＢが二重接続においてＳｅＮＢとして使用される場合、アクセス制御及び／またはメンバーシップ検証が效率的に行われることができる。
【図面の簡単な説明】
【００１０】
【図１】図１は、ＬＴＥシステムの構造を示す。
【図２】図２は、一般的なＥ−ＵＴＲＡＮ及びＥＰＣの構造のブロック図である。
【図３】図３はＬＴＥシステムのユーザ平面プロトコルスタックのブロック図である。
【図４】図４はＬＴＥシステムの制御平面プロトコルスタックのブロック図である。
【図５】図５は、物理チャンネル構造の一例を示す。
【図６】図６は、二重接続に対する無線プロトコルアーキテクチャを示す。
【図７】図７は、特定ＵＥに対する二重接続に関与するｅＮＢのＣ-平面接続を示す。
【図８】図８は、特定ＵＥに対する二重接続に関与するｅＮＢのＵ-平面接続を示す。
【図９】図９は、二重接続に対するＵ-平面アーキテクチャの例示を示す。
【図１０】図１０は、二重接続に対するＵ-平面アーキテクチャの他の例示を示す。
【図１１】図１１は、ＳｅＮＢ付加手順の例示を示す。
【図１２】図１２は、Ｅ-ＲＡＢ修正指示手順を示す。
【図１３】図１３は、ＨｅＮＢがＳｅＮＢの役割を遂行する場合における二重接続を示す。
【図１４】図１４は、本発明の一実施の形態にかかる二重接続に対するアクセス制御及び／またはメンバーシップ検証を行う方法の例示を示す。
【図１５】図１５は、本発明の一実施の形態にかかる二重接続に対するアクセス制御及び／またはメンバーシップ検証を行う方法の他の例示を示す。
【図１６】図１６は、本発明の一実施の形態にかかる二重接続に対するアクセス制御及び／またはメンバーシップ検証を行う方法の他の例示を示す。
【図１７】図１７は、本発明の一実施の形態にかかる二重接続に対するアクセス制御及び／またはメンバーシップ検証を行う方法の他の例示を示す。
【図１８】図１８は、本発明の一実施の形態にかかる二重接続に対するアクセス制御及び／またはメンバーシップ検証を行う方法の他の例示を示す。
【図１９】図１９は、本発明の一実施の形態にかかるアクセス制御を行う方法の一例示を示す。
【図２０】図２０は、本発明の一実施の形態にかかるアクセス制御を行う方法の他の例示を示す。
【図２１】図２１は、本発明の一実施の形態にかかるアクセス制御を行う方法の一例示を示す。
【図２２】図２２は、本発明の実施の形態が具現される無線通信システムを示す。
【発明を実施するための形態】
【００１１】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使われることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術で具現されることができる。ＴＤＭＡは、ＧＳＭ（登録商標）(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で具現されることができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２.２０、Ｅ−ＵＴＲＡ(ｅｖｏｌｖｅｄ ＵＴＲＡ)などのような無線技術で具現されることができる。ＩＥＥＥ８０２.１６ｍは、ＩＥＥＥ８０２.１６ｅの進化であり、ＩＥＥＥ８０２.１６基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
【００１２】
説明を明確にするために、ＬＴＥ−Ａを中心に記述するが、本発明の技術的思想がこれに制限されるものではない。
【００１３】
図１は、ＬＴＥシステムの構造を示す。通信ネットワークは、ＩＭＳ及びパケットデータを介したインターネット電話(Ｖｏｉｃｅ ｏｖｅｒ ｉｎｔｅｒｎｅｔ ｐｒｏｔｏｃｏｌ：ＶｏＩＰ)のような多様な通信サービスを提供するために広く設置される。
【００１４】
図１を参照すると、ＬＴＥシステム構造は、１つ以上の端末(ＵＥ)１０、Ｅ−ＵＴＲＡＮ(ｅｖｏｌｖｅｄ−ＵＭＴＳ ｔｅｒｒｅｓｔｒｉａｌ ｒａｄｉｏ ａｃｃｅｓｓ ｎｅｔｗｏｒｋ)及びＥＰＣ(ｅｖｏｌｖｅｄ ｐａｃｋｅｔ ｃｏｒｅ)を含む。端末１０は、ユーザにより動く通信装置である。端末１０は、固定されてもよいし、移動性を有してもよく、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)等、他の用語で呼ばれることもある。
【００１５】
Ｅ−ＵＴＲＡＮは１つ以上のｅＮＢ（evolved node-B）２０を含み、１つのセルに複数のＵＥが存在することができる。ｅＮＢ２０は制御平面（control plane）とユーザ平面（user plane）の終端点をＵＥに提供する。ｅＮＢ２０は一般的にＵＥ１０と通信する固定された地点（fixed station）をいい、ＢＳ（base station）、アクセスポイント（access point）など、他の用語で呼ばれることがある。１つのｅＮＢ２０はセル毎に配置できる。
【００１６】
以下、ＤＬはｅＮＢ２０からＵＥ１０への通信を意味し、ＵＬはＵＥ１０からｅＮＢ２０への通信を意味する。ＤＬで送信機はｅＮＢ２０の一部であり、受信機はＵＥ１０の一部でありうる。ＵＬで送信機はＵＥ１０の一部であり、受信機はｅＮＢ２０の一部でありうる。
【００１７】
ＥＰＣはＭＭＥ（mobility management entity）とＳ−ＧＷ（system architecture evolution（SAE）gateway）を含む。ＭＭＥ／Ｓ−ＧＷ３０はネットワークの終端に位置し、外部ネットワークと連結できる。明確性のためにＭＭＥ／Ｓ−ＧＷ３０は“ゲートウェイ”と単純に表現し、これはＭＭＥ及びＳ−ＧＷを全て含むことができる。
【００１８】
ＭＭＥはｅＮＢ２０へのＮＡＳ（non-access stratum）シグナリング、ＮＡＳシグナリング保安、ＡＳ（access stratum）保安制御、３ＧＰＰアクセスネットワーク間の移動性のためのｉｎｔｅｒ ＣＮ（core network）ノードシグナリング、アイドルモード端末到達可能性（ページング再転送の制御及び実行含み）、トラッキング領域リスト管理（アイドルモード及び活性化モードであるＵＥのために）、Ｐ−ＧＷ（PDN（packet data network）gateway）及びＳ−ＧＷ選択、ＭＭＥ変更と共にハンドオーバーのためのＭＭＥ選択、２Ｇまたは３Ｇ ３ＧＰＰアクセスネットワークへのハンドオーバーのためのＳＧＳＮ（serving GPRS support node）選択、ローミング、認証、専用ベアラ設定を含んだベアラ管理機能、ＰＷＳ（public warning system：地震／津波警報システム（ＥＴＷＳ）、及び常用モバイル警報システム（ＣＭＡＳ）含み）メッセージ転送サポートなどの多様な機能を提供する。Ｓ−ＧＷホストは、ユーザ別基盤パケットフィルタリング（例えば、深層パケット検査を通じて）、合法的遮断、端末ＩＰ（internet protocol）アドレス割当、ＤＬで転送レベルパッキングマーキング、ＵＬ／ＤＬサービスレベル課金、ゲーティング及び等級強制、ＡＰＮ−ＡＭＢＲ（access point name aggregate maximum bit rate）に基づいたＤＬ等級強制の各種の機能を提供する。
【００１９】
ユーザトラフィック転送または制御トラフィック転送のためのインターフェースが使用できる。ＵＥ１０及びｅＮＢ２０は、Ｕｕインターフェースにより連結される。ｅＮＢ２０はＸ２インターフェースにより相互間連結される。隣り合うｅＮＢ２０はＸ２インターフェースによる網型ネットワーク構造を有することができる。複数のノードはｅＮＢ２０とゲートウェイ３０との間にＳ１インターフェースを介して連結できる。
【００２０】
図２は、一般的なＥ−ＵＴＲＡＮ及びＥＰＣの構造のブロック図である。図２を参照すると、ｅＮＢ２０はゲートウェイ３０に対する選択、ＲＲＣ（radio resource control）活性（activation）の間ゲートウェイ３０へのルーティング（routing）、ページングメッセージのスケジューリング及び転送、ＢＣＨ（broadcast channel）情報のスケジューリング及び転送、ＵＬ及びＤＬからＵＥ１０への資源の動的割当、ｅＮＢ測定の設定（configuration）及び提供（provisioning）、無線ベアラ制御、ＲＡＣ（radio admission control）及びＬＴＥ活性状態で連結移動性制御機能を遂行することができる。前述したように、ゲートウェイ３０はＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００２１】
図３はＬＴＥシステムのユーザ平面プロトコルスタックのブロック図である。図４はＬＴＥシステムの制御平面プロトコルスタックのブロック図である。ＵＥとＥ−ＵＴＲＡＮとの間の無線インターフェースプロトコルの階層は通信システムで広く知られたＯＳＩ（open system interconnection）モデルの下位３個階層に基づいて、Ｌ１（第１階層）、Ｌ２（第２階層）、及びＬ３（第３階層）に区分される。
【００２２】
物理階層（ＰＨＹ；physical layer）はＬ１に属する。物理階層は物理チャンネルを介して上位階層に情報転送サービスを提供する。物理階層は上位階層であるＭＡＣ（media access control）階層と転送チャンネル（transport channel）を介して連結される。物理チャンネルは、転送チャンネルにマッピングされる。転送チャンネルを介してＭＡＣ階層と物理階層との間にデータが転送される。互いに異なる物理階層の間、即ち送信機の物理階層と受信機の物理階層との間にデータは物理チャンネルを介して転送される。
【００２３】
ＭＡＣ階層、ＲＬＣ（radio link control）階層、及びＰＤＣＰ（packet data convergence protocol）階層はＬ２に属する。ＭＡＣ階層は、論理チャンネル（logical channel）を介して上位階層であるＲＬＣ階層にサービスを提供する。ＭＡＣ階層は、論理チャンネル上のデータ転送サービスを提供する。ＲＬＣ階層は、信頼性あるデータ転送をサポートする。一方、ＲＬＣ階層の機能はＭＡＣ階層の内部の機能ブロックで具現されることができ、この際、ＲＬＣ階層は存在しないこともある。ＰＤＣＰ階層は、相対的に帯域幅の小さい無線インターフェース上でＩＰｖ４またはＩＰｖ６のようなＩＰパケットを導入して転送されるデータが効率良く転送されるように不要な制御情報を減らすヘッダー圧縮機能を提供する。
【００２４】
ＲＲＣ（radio resource control）階層は、Ｌ３に属する。Ｌ３の最も下端 部分に位置するＲＲＣ階層はただ制御平面のみで定義される。ＲＲＣ階層は、ＲＢ（radio bearer）などの設定（configuration）、再設定（re-configuration）、及び解除（release）と関連して論理チャンネル、転送チャンネル、及び物理チャンネルなどの制御を担当する。ＲＢは、ＵＥとＥ−ＵＴＲＡＮとの間のデータ転送のためにＬ２により提供されるサービスを意味する。
【００２５】
図３を参照すると、ＲＬＣ及びＭＡＣ階層（ネットワーク側におけるｅＮＢで終了）は、スケジューリング、ＡＲＱ及びＨＡＲＱのような機能を遂行することができる。ＰＤＣＰ階層（ネットワーク側におけるｅＮＢで終了）は、ヘッダー圧縮、無欠性保護、及び暗号化のようなユーザ平面機能を遂行することができる。
【００２６】
図３−（ｂ）を参照すると、ＲＬＣ／ＭＡＣ階層（ネットワーク側におけるｅＮＢで終了）は、制御平面のために同一な機能を遂行することができる。ＲＲＣ階層（ネットワーク側におけるｅＮＢで終了）は、放送、ページング、ＲＲＣ連結管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００２７】
図５は、物理チャンネル構造の一例を示す。物理チャンネルは、無線資源を通じてＵＥの物理階層とｅＮＢの物理階層との間のシグナリング及びデータを転送する。物理チャンネルは、時間領域で複数のサブフレームと周波数領域で複数の副搬送波で構成される。１ｍｓである１つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（physical resource block）及びＭＣＳ（modulation and coding schemes）のように動的に割り当てられた資源を運ぶことができる。
【００２８】
ＤＬ転送チャンネルは、システム情報を転送するために使われるＢＣＨ（broadcast channel）、ＵＥをページングするために使われるＰＣＨ（paging channel）、ユーザトラフィックまたは制御信号を転送するために使われるＤＬ−ＳＣＨ（downlink shared channel）、マルチキャストまたはブロードキャストサービス転送のために使われるＭＣＨ（multicast channel）などを含む。ＤＬ−ＳＣＨは、ＨＡＲＱ、変調、コーディング及び転送電力の変化による動的リンク適応及び動的／半静的資源割当をサポートする。また、ＤＬ−ＳＣＨはセル全体にブロードキャスト及びビームフォーミングの使用を可能にすることができる。
【００２９】
ＵＬ転送チャンネルは、一般的にセルへの初期接続のために使われるＲＡＣＨ（random access channel）、ユーザトラフィック、または制御信号を転送するために使われるＵＬ−ＳＣＨ（uplink shared channel）などを含む。ＵＬ−ＳＣＨは、ＨＡＲＱ及び転送電力及び潜在的な変調及びコーディングの変化による動的リンク適応をサポートする。また、ＵＬ−ＳＣＨはビームフォーミングの使用を可能にすることができる。
【００３０】
論理チャンネルは、転送される情報の種類によって、制御平面の情報伝達のための制御チャンネルとユーザ平面の情報伝達のためのトラフィックチャンネルに分類される。即ち、論理チャンネルタイプの集合はＭＡＣ階層により提供される互いに異なるデータ転送サービスのために定義される。
【００３１】
制御チャンネルは、制御平面の情報伝達のみのために使われる。ＭＡＣ階層により提供される制御チャンネルは、ＢＣＣＨ（broadcast control channel）、ＰＣＣＨ（paging control channel）、ＣＣＣＨ（common control channel）、ＭＣＣＨ（multicast control channel）、及びＤＣＣＨ（dedicated control channel）を含む。ＢＣＣＨは、システム制御情報を放送するためのＤＬチャンネルである。ＰＣＣＨは、ページング情報の転送のためのＤＬチャンネルであり、ネットワークがＵＥのセル単位の位置を知らない時に使われる。ＣＣＣＨは、ネットワークとＲＲＣ連結を有しない時、ＵＥにより使われる。ＭＣＣＨは、ネットワークからＵＥにＭＢＭＳ（multimedia broadcast multicast services）制御情報を転送するために使われる一対多のＤＬチャンネルである。ＤＣＣＨは、ＵＥとネットワークとの間に専用制御情報転送のためにＲＲＣ連結を有するＵＥにより使われる一対一の両方向チャンネルである。
【００３２】
トラフィックチャンネルは、ユーザ平面の情報伝達のみのために使われる。ＭＡＣ階層により提供されるトラフィックチャンネルは、ＤＴＣＨ（dedicated traffic channel）及びＭＴＣＨ（multicast traffic channel）を含む。ＤＴＣＨは一対一のチャンネルであって、１つのＵＥのユーザ情報の転送のために使われて、ＵＬ及びＤＬ全てに存在することができる。ＭＴＣＨは、ネットワークからＵＥにトラフィックデータを転送するための一対多のＤＬチャンネルである。
【００３３】
論理チャンネルと転送チャンネルとの間のＵＬ連結は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャンネルと転送チャンネルとの間のＤＬ連結は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００３４】
ＲＲＣ状態はＵＥのＲＲＣ階層がＥ−ＵＴＲＡＮのＲＲＣ階層と論理的に連結されているか否かを指示する。ＲＲＣ状態は、ＲＲＣ連結状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（discontinuous reception）を指定する間に、ＵＥはシステム情報及びページング情報の放送を受信することができる。そして、ＵＥはトラッキング領域でＵＥを固有に指定するＩＤ（identification）の割当を受けて、ＰＬＭＮ（public land mobile network）選択及びセル再選択を遂行することができる。またＲＲＣ＿ＩＤＬＥで、いかなるＲＲＣコンテクストもｅＮＢに格納されない。
【００３５】
ＲＲＣ＿ＣＯＮＮＥＣＴＥＤで、ＵＥはＥ−ＵＴＲＡＮでＥ−ＵＴＲＡＮ ＲＲＣ連結及びコンテクストを有して、ｅＮＢにデータを転送及び／又はｅＮＢからデータを受信することが可能である。また、ＵＥはｅＮＢにチャンネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを転送及び／又はＵＥからデータを受信することができ、ネットワークはＵＥの移動性（ハンドオーバー及びＮＡＣＣ（network assisted cell change）を通じてのＧＥＲＡＮ（GSM EDGE radio access network）でｉｎｔｅｒ−ＲＡＴ（radio access technology）セル変更指示）を制御することができ、ネットワークは隣り合うセルのためにセル測定を遂行することができる。
【００３６】
ＲＲＣ＿ＩＤＬＥで、ＵＥはページングＤＲＸ周期を指定する。具体的に、ＵＥはＵＥ特定ページングＤＲＸ周期毎の特定ページング機会（paging occasion）にページング信号をモニターする。ページング機会は、ページング信号が転送される間の時間区間である。ＵＥは、自分だけのページング機会を有している。ページングメッセージは、同一なトラッキング領域（ＴＡ；tracking area）に属する全てのセル上に転送される。ＵＥが１つのＴＡから他のＴＡに移動すれば、ＵＥは自身の位置をアップデートするためにネットワークにＴＡＵ（tracking area update）メッセージを転送することができる。
【００３７】
二重接続（ＤＣ；ｄｕａｌ  ｃｏｎｎｅｃｔｉｖｉｔｙ）に対する全体的なアーキテクチャとネットワークインターフェースが説明される。これと関連して、３ＧＰＰ  ＴＲ  ３６．８４２  Ｖ１２．０．０（２０１３-１２）が参照されることができる。Ｅ-ＵＴＲＡＮは、二重接続動作を支援でき、ＲＲＣ＿ＣＯＮＮＥＣＴＥＤにある複数のＲＸ／ＴＸを有したＵＥは、Ｘ２インターフェースを介した非-理想的バックホール（ｎｏｎ-ｉｄｅａｌ  ｂａｃｋｈａｕｌ）を介して接続する二つのｅＮＢに位置する二つの区別されるスケジューラにより提供される無線資源を活用するように構成される。図１に説明された全体的なＥ-ＵＴＲＡＮアーキテクチャは、また二重接続に適用可能である。二つの互いに異なる役割が特定ＵＥに対して二重接続に関与するｅＮＢに仮定されることができる：ｅＮＢは、ＭｅＮＢ（ｍａｓｔｅｒ  ｅＮＢ）またはＳｅＮＢ（ｓｅｃｏｎｄａｒｙ  ｅＮＢ）として動作できる。ＭｅＮＢは、二重接続において少なくともＳ１-ＭＭＥを終端（ｔｅｒｍｉｎａｔｅ）させるｅＮＢである。ＳｅＮＢは、ＵＥに対する付加的な無線資源を提供するが、二重接続においてのＭｅＮＢではないｅＮＢである。二重接続においてＵＥは、一つのＭｅＮＢと一つのＳｅＮＢに接続される。
【００３８】
図６は、二重接続に対する無線プロトコルアーキテクチャを示す。ＤＣにおいて、特定ベアラが使用する無線プロトコルアーキテクチャは、ベアラがどのように設定されるかによる。ＭＣＧ（ｍａｓｔｅｒ  ｃｅｌｌ  ｇｒｏｕｐ）ベアラ、ＳＣＧ（ｓｅｃｏｎｄａｒｙ  ｃｅｌｌ  ｇｒｏｕｐ）ベアラ及び分離ベアラの３通りの代案が存在する。図６を参照すると、このような３通りの代案が、左側から右側へＭＣＧベアラ、分離ベアラ及びＳＣＧベアラの順に示される。ＭＣＧベアラは、二重接続においてＭｅＮＢ資源だけを利用するために、無線プロトコルがＭｅＮＢだけに位置するベアラである。ＳＣＧベアラは、二重接続においてＳｅＮＢ資源を利用するために、無線プロトコルがＳｅＮＢだけに位置するベアラである。分離ベアラは、二重接続においてＭｅＮＢ及びＳｅＮＢ資源を全部利用するために、無線プロトコルがＭｅＮＢ及びＳｅＮＢの全部に位置するベアラである。ＳＲＢ（ｓｉｇｎａｌｉｎｇ  ｒａｄｉｏ  ｂｅａｒｅｒｓ）は、常にＭＣＧベアラに属するので、ＭｅＮＢにより提供される無線資源だけを利用する。ＭＣＧは、ＭｅＮＢと関連したサービングセルのグループであり、二重接続においてＰＣｅｌｌ（ｐｒｉｍａｒｙ  ｃｅｌｌ）と選択的に一つ以上のＳＣｅｌｌ（ｓｅｃｏｎｄａｒｙ  ｃｅｌｌ）を含む。ＳＣＧは、ＳｅＮＢと関連したサービングセルのグループであり、二重接続においてＰＳＣｅｌｌ（ｐｒｉｍａｒｙ  ＳＣｅｌｌ）と選択的に一つ以上のＳＣｅｌｌを含む。ＤＣは、ＳｅＮＢにより提供される無線資源を利用するように構成される少なくとも一つのベアラを有するとまた説明されることができる。
【００３９】
図７は、特定ＵＥに対する二重接続に関与するｅＮＢのＣ-平面接続を示す。二重接続に対するｅＮＢ間制御平面シグナリングは、Ｘ２インターフェースシグナリングにより行われる。ＭＭＥに向かう制御平面シグナリングは、Ｓ１インターフェースシグナリングにより行われる。ＭｅＮＢとＭＭＥとの間にＵＥ毎にただ一つのＳ１-ＭＭＥ接続が存在する。各々のｅＮＢは、ＵＥを独立的に取扱うべきであり、すなわち、一部のＵＥにＰＣｅｌｌを提供することに対し、他のＵＥにＳＣＧに対するＳＣｅｌｌ（ら）を提供する。特定ＵＥに対して二重接続に関与した各々のｅＮＢは、自身の無線資源を所有し、自身のセルの無線資源を割り当てるのを主に担当し、ＭｅＮＢとＳｅＮＢとの間の協力は、Ｘ２インターフェースシグナリングにより提供される。図７を参照すると、ＭｅＮＢは、Ｓ１-ＭＭＥを介してＭＭＥに接続するＣ-平面であり、ＭｅＮＢ及びｔｈｅ  ＳｅＮＢは、Ｘ２-Ｃを介して相互接続される。
【００４０】
図８は、特定ＵＥに対する二重接続に関与するｅＮＢのＵ-平面接続を示す。Ｕ-平面接続は、構成されたベアラオプションによる。ＭＣＧベアラに対して、ＭｅＮＢはＳ１-Ｕを介してＳ-ＧＷにＵ-平面接続され、ＳｅＮＢは、ユーザ平面データの転送に関与しない。分離ベアラに対して、ＭｅＮＢは、Ｓ１-Ｕを介してＳ-ＧＷにＵ-平面接続され、付加的に、ＭｅＮＢとＳｅＮＢとは、Ｘ２-Ｕを介して相互接続される。ＳＣＧベアラに対して、ＳｅＮＢは、Ｓ１-Ｕを介してＳ-ＧＷに直接接続される。但し、ＭＣＧと分離ベアラとが構成されるならば、ＳｅＮＢにおいてＳ１-Ｕ終端が存在しない。
【００４１】
図９は、二重接続に対するＵ-平面アーキテクチャの例示を示す。図９に示す二重接続に対するＵ-平面アーキテクチャは、ＳｅＮＢにおいて終端されるＳ１-Ｕと独立的なＰＤＣＰ（ベアラ分離がない）の組み合わせである。図９に示す二重接続に対するＵ-平面アーキテクチャは、「アーキテクチャ１Ａ」と呼ばれることができる。
【００４２】
図１０は、二重接続に対するＵ-平面アーキテクチャの他の例示を示す。図１０に示す二重接続に対するＵ-平面アーキテクチャは、ＭｅＮＢで終端されるＳ１-ＵとＭｅＮＢでのベアラ分離及び分離ベアラに対する独立的なＲＬＣの組み合わせである。図１０に示す二重接続に対するＵ-平面アーキテクチャは、「アーキテクチャ３Ｃ」と呼ばれることができる。
【００４３】
図１１は、ＳｅＮＢ付加手順の例示を示す。ＳｅＮＢ付加手順は、ＭｅＮＢにより開始され、ＳｅＮＢからＵＥに無線資源を提供するために、ＳｅＮＢにおいてＵＥコンテクストを設定するために利用される。このような手順は、ＳＣＧの少なくとも第１セル（すなわち、ＰＳＣｅｌｌ）を付加するために使用される。
【００４４】
ステップＳ１１００にて、ＭｅＮＢは、Ｅ-ＲＡＢ（Ｅ-ＵＴＲＡＮ  ｒａｄｉｏ  ａｃｃｅｓｓ  ｂｅａｒｅｒ）特性（Ｅ-ＲＡＢパラメータ、ＵＰオプションに対応するＴＮＬ（ｔｒａｎｓｐｏｒｔ  ｌａｙｅｒ  ｎｅｔｗｏｒｋ）アドレス情報）を指示する、特定Ｅ-ＲＡＢに対する無線資源を割り当てるのをＳｅＮＢに要請することに決定する。付加的に、ＭｅＮＢは、ＳＣＧ-ＣｏｎｆｉｇＩｎｆｏ内で（ＳＣＧベアラに対するセキュリティーアルゴリズムを含む）ＭＣＧ構成とＳｅＮＢによった再構成のための基底（ｂａｓｉｓ）として用いられるＵＥ能力調整（ＵＥ  ｃａｐａｂｉｌｉｔｙ  ｃｏｏｒｄｉｎａｔｉｏｎ）に対する全体ＵＥ能力を指示するが、ＳＣＧ構成を含まない。ＭｅＮＢは、付加されるように要請されたＳＣＧセル（ら）に対して、最近の測定結果を提供できる。ＳｅＮＢは、このような要請を拒絶することができる。ＳＣＧベアラと対照的に分離ベアラオプションに対して、ＭｅＮＢは、各々のＥ-ＲＡＢに対するＱｏＳ（ｑｕａｌｉｔｙ  ｏｆ  ｓｅｒｖｉｃｅ）がＭｅＮＢとＳｅＮＢにより共に提供される資源の正確な合計によって保証されるように、該当資源の量またはそれ以上をＳｅＮＢから要請するように決定できる。ＭｅＮＢの決定は、ＳｅＮＢにシグナリングされるＥ-ＲＡＢパラメータにより以下のステップＳ１１０１において反映されることができ、前記パラメータは、Ｓ１を介して受信されるＥ-ＲＡＢパラメータと相異なることができる。ＭｅＮＢは、ＭＣＧベアラ無しで、ＳＣＧまたは分離ベアラの直接設定を要請できる。
【００４５】
ＳｅＮＢでのＲＲＭ（ｒａｄｉｏ  ｒｅｓｏｕｒｃｅ  ｍａｎａｇｅｍｅｎｔ）エンティティが資源要請を許容できるならば、ＳｅＮＢは、各々の無線資源を割り当て、ベアラオプションに応じて各々の転送ネットワーク資源を割り当てる。ＳｅＮＢは、ＳｅＮＢ無線資源構成の同期が行われることができるように、ランダムアクセスをトリガーリングする。ステップＳ１１０１にて、ＳｅＮＢは、ＭｅＮＢにＳＣＧ-ＣｏｎｆｉｇでＳＣＧの新規無線資源を提供する。各々のＥ-ＲＡＢに対するＳ１  ＤＬ  ＴＮＬアドレス情報とセキュリティーアルゴリズムと共に、ＳＣＧベアラに対して、分離ベアラＸ２  ＤＬ  ＴＮＬアドレス情報に対するものである。分離ベアラに対して、ユーザ平面データの転送は、ステップＳ１１０１以後に発生できる。ＳＣＧベアラの場合に、データフォワード及びＳＮ状態伝達は、ステップＳ１１０１以後に発生できる。
【００４６】
ＭｅＮＢが新規構成を承認（ｅｎｄｏｒｓｅ）すると、ステップＳ１１１０にて、ＭｅＮＢは、ＵＥにＳＣＧ-Ｃｏｎｆｉｇに応じてＳＣＧの新規無線資源構成を含むＲＲＣＣｏｎｎｅｃｔｉｏｎＲｅｃｏｎｆｉｇｕｒａｔｉｏｎメッセージを転送する。ＵＥは、新規構成を適用し、ステップＳ１１１１にて、ＲＲＣＣｏｎｎｅｃｔｉｏｎＲｅｃｏｎｆｉｇｕｒａｔｉｏｎＣｏｍｐｌｅｔｅメッセージで応答する。ＵＥがＲＲＣＣｏｎｎｅｃｔｉｏｎＲｅｃｏｎｆｉｇｕｒａｔｉｏｎメッセージに含まれた構成の（部分）を従うことができないと、ＵＥは、再構成失敗手順を行う。
【００４７】
ステップＳ１１２０にて、ＭｅＮＢは、ＵＥが再構成手順を成功的に完了したということをＳｅＮＢに通報する。
【００４８】
ステップＳ１１３０にて、ＵＥは、ＳｅＮＢのＰＳＣｅｌｌに向かって同期化を行う。ＵＥがＳＣＧに向かってＲＲＣＣｏｎｎｅｃｔｉｏｎＲｅｃｏｎｆｉｇｕｒａｔｉｏｎＣｏｍｐｌｅｔｅメッセージを転送し、ランダムアクセス手順を行う順序は定義されない。ＳＣＧに向かった成功的なＲＡ手順がＲＲＣ接続再構成手順の成功的な完了のために要求されるものではない。
【００４９】
ＳＣＧベアラの場合、各々のＥ-ＲＡＢのベアラ特性に応じて、ＭｅＮＢは、二重接続の活性化に起因するサービス中断を最小化するための動作（ステップＳ１１４０でのデータフォワードとステップＳ１１５０でのＳＮ状態伝達）を取ることができる。
【００５０】
ステップＳ１１６０にて、ＳＣＧベアラに対して、ＥＰＣに向かった経路アップデート手順が行われる。詳細には、ステップＳ１１６１にて、ＭｅＮＢは、Ｅ-ＲＡＢ修正指示メッセージをＭＭＥに転送できる。ステップＳ１１６２にて、ＭＭＥとＳ-ＧＷは、ベアラ修正を行うことができる。ステップＳ１１６３にて、Ｓ-ＧＷとＭｅＮＢ／ＳｅＮＢとの間に終了マーカパケット（ｅｎｄ  ｍａｒｋｅｒ  ｐａｃｋｅｔ）が交換されることができる。ステップＳ１１６４にて、ＭＭＥは、Ｅ-ＲＡＢ修正確認メッセージをＭｅＮＢに転送できる。
【００５１】
図１２は、Ｅ-ＲＡＢ修正指示手順を示す。Ｅ-ＲＡＢ修正指示手順は、図１１のステップＳ１１６１とＳ１１６４に対応する。Ｅ-ＲＡＢ修正指示手順の目的は、ｅＮＢにとって与えられたＵＥに対して既に設定されたＥ-ＲＡＢの修正を要請することを可能にすることである。このような手順は、ＵＥ-関連シグナリングを利用する。
【００５２】
ステップＳ１２００にて、ｅＮＢは、ＭＭＥにＥ-ＲＡＢ修正指示メッセージを転送することによって、このような手順を開始する。Ｅ-ＲＡＢ修正指示メッセージ内のＥ-ＲＡＢ  Ｔｏ  Ｂｅ  Ｍｏｄｉｆｉｅｄ  Ｉｔｅｍ内に含まれるＴｒａｎｓｐｏｒｔ  Ｌａｙｅｒ  Ａｄｄｒｅｓｓ  ＩＥ（ｉｎｆｏｒｍａｔｉｏｎ  ｅｌｅｍｅｎｔ）とＤＬ  ＧＴＰ  ＴＥＩＤ  ＩＥは、Ｅ-ＲＡＢの新規ＤＬアドレスとしてＭＭＥにより考慮されなければならない。Ｅ-ＲＡＢ修正指示メッセージ内のＥ-ＲＡＢ  Ｎｏｔ  Ｔｏ  Ｂｅ  Ｍｏｄｉｆｉｅｄ  Ｉｔｅｍ  ＩＥｓ  ＩＥに含まれるＴｒａｎｓｐｏｒｔ  Ｌａｙｅｒ  Ａｄｄｒｅｓｓ  ＩＥ及びＤＬ  ＧＴＰ  ＴＥＩＤ  ＩＥは変わらないＤＬアドレスを有するＥ-ＲＡＢとして、ＭＭＥにより考慮されなければならない。
【００５３】
表１は、Ｅ-ＲＡＢ修正指示メッセージの例示を示す。このようなメッセージは、ｅＮＢにより転送され、一つまたはいくつかのＥ-ＲＡＢに対して指示された修正を適用するのをＭＭＥに要請するのに利用される。
【００５４】
【表１】
0006423072.tif 000002
【００５５】
ステップＳ１２１０にて、ＭＭＥは、ｅＮＢにＥ-ＲＡＢ修正確認メッセージを転送する。Ｅ-ＲＡＢ修正確認メッセージは、次のようにＥ-ＲＡＢ修正指示メッセージのＥ-ＲＡＢ  Ｔｏ  Ｂｅ  Ｍｏｄｉｆｉｅｄ  Ｉｔｅｍ  ＩＥｓに応じて修正されるように要請されたすべてのＥ-ＲＡＢの結果を含まなければならない。
【００５６】
-成功的に修正されたＥ-ＲＡＢのリストは、Ｅ-ＲＡＢ  Ｍｏｄｉｆｙ  Ｌｉｓｔ  ＩＥに含まれなければならない。
【００５７】
-修正されるのに失敗したＥ-ＲＡＢのリストは、存在するならば、Ｅ-ＲＡＢ  Ｆａｉｌｅｄ  ｔｏ  Ｍｏｄｉｆｙ  Ｌｉｓｔ  ＩＥに含まれなければならない。
【００５８】
Ｅ-ＲＡＢ  Ｆａｉｌｅｄ  ｔｏ  Ｍｏｄｉｆｙ  Ｌｉｓｔ  ＩＥがＥ-ＲＡＢ修正確認メッセージで受信されるならば、ｅＮＢは、次のうちのいずれか一つを行わなければならない：
【００５９】
-関連したＥ-ＲＡＢに対して対応するＥ-ＵＴＲＡとＥ-ＵＴＲＡＮ資源を解除するか、または
【００６０】
-関連したＥ-ＲＡＢに対して変わらないＥ-ＲＡＢ修正指示メッセージを転送する前に、以前の転送情報を維持する。
【００６１】
ＭＭＥがＥ-ＲＡＢの成功的でない修正を報告する場合、ｅＮＢが成功的でない修正に対する理由がわかることを可能にする程度に原因値は十分に正確でなければならない。
【００６２】
表２は、Ｅ-ＲＡＢ修正確認メッセージの例示を示す。このようなメッセージは、ＭＭＥにより転送され、Ｅ-ＲＡＢ修正指示メッセージから要請の結果を報告するのに利用される。
【００６３】
【表２】
0006423072.tif 000003
【００６４】
図１３は、ＨｅＮＢがＳｅＮＢの役割を遂行する場合における二重接続を示す。ＨｅＮＢは、３ＧＰＰ  ＬＴＥ  ｒｅｌ-８からｒｅｌ-１２まで可能なＳ１及びＸ２移動性を有するものと特定され、これは、典型的なＳｅＮＢでありうる。したがって、二重接続向上に対して考慮できる特徴は、ＭｅＮＢとしてのマクロｅＮＢとＳｅＮＢとしてのＨｅＮＢとの二重接続である。しかしながら、ＨｅＮＢは、二重接続を若干より複雑にする三個のモード（すなわち、開放モード、ハイブリッドモード、閉鎖モード）を有する。例えば、二重接続においてアクセス制御及び／またはメンバーシップ検証問題が依然として存在する。
【００６５】
上述の問題を解決するために、本発明の一実施の形態にかかる二重接続に対するアクセス制御及び／またはメンバーシップ検証を行う方法が以下に説明される。
【００６６】
図１４は、本発明の一実施の形態にかかる二重接続に対するアクセス制御及び／またはメンバーシップ検証を行う方法の例示を示す。図１４の実施の形態は、図１１に示すＳｅＮＢ付加手順に基盤すると仮定されるが、本発明の実施の形態は、これに限定されるものではない。他の手順が本発明の実施の形態に対して利用されることができる。本発明のこのような実施の形態によれば、ＭｅＮＢがＨｅＮＢであるＳｅＮＢを付加することに決定した後に、ＭｅＮＢは、次のようにＳｅＮＢ付加手順を始める。
【００６７】
ステップＳ１４００にて、ＭｅＮＢは、ＵＥのＣＳＧメンバーシップ状態を指示するＣＳＧ（ｃｌｏｓｅｄ  ｓｕｂｓｃｒｉｂｅｒ  ｇｒｏｕｐ）メンバーシップ状態指示と共に、ＳｅＮＢ付加要請メッセージをターゲットＳｅＮＢ、すなわちＨｅＮＢに転送する。ＣＳＧメンバーシップ状態指示は、ＣＳＧメンバーシップ状態指示ＩＥでありうる。または、ＣＳＧメンバーシップ状態指示は、新規メッセージまたは他の従来のメッセージを介して転送されることができる。
【００６８】
ＣＳＧメンバーシップ状態指示を受信する時に、ＳｅＮＢ（ＨｅＮＢ）は、受信されたＣＳＧメンバーシップ状態指示により指示されるＵＥのＣＳＧメンバーシップ状態を信頼する。ステップＳ１４０１にて、ＳｅＮＢ（ＨｅＮＢ）は、ＳｅＮＢ付加要請承認メッセージをＳｅＮＢ（ＨｅＮＢ）によりサービングされるターゲットセルのセルアクセスモード及び／またはＣＳＧ  ＩＤ及び／またはＳｅＮＢ（ＨｅＮＢ）によりサービングされるターゲットセルのＰＬＭＮ  ＩＤと共に、ＭｅＮＢに転送する。または、ターゲットセルのセルアクセスモード及び／またはＣＳＧ  ＩＤ及び／またはＳｅＮＢ（ＨｅＮＢ）によりサービングされるターゲットセルのＰＬＭＮ  ＩＤは、新規メッセージまたは他の既存のメッセージを介して転送されることができる。
【００６９】
それから、図１１のステップＳ１１１０ないしＳ１１５０がこのようなステップに対して変化がないから、そのまま行われることができる。
【００７０】
ステップＳ１４１０にて、ＭｅＮＢは、ＳｅＮＢ（ＨｅＮＢ）によりサービングされるターゲットセルのセルアクセスモード及び／またはＣＳＧ  ＩＤ及び／またはＳｅＮＢ（ＨｅＮＢ）によりサービングされるターゲットセルのＰＬＭＮ  ＩＤ及び／またはＣＳＧメンバーシップ状態指示と共に、Ｅ-ＲＡＢ修正指示メッセージをＭＭＥに転送し、ＭＭＥは、ＵＥのＣＳＧメンバーシップ状態を検証する。または、ターゲットセルのセルアクセスモード及び／またはＣＳＧ  ＩＤ及び／またはＳｅＮＢ（ＨｅＮＢ）によりサービングされるターゲットセルのＰＬＭＮ  ＩＤ及び／またはＣＳＧメンバーシップ状態指示は、新規メッセージまたは他の既存のメッセージを介して転送されることができる。ステップＳ１４１０は、図９に示す二重接続に対するアーキテクチャ１Ａに対してのみ適用されることができる。図１０に示す二重接続に対するアーキテクチャ３Ｃに対して、ステップＳ１４１０は必要としないときもある。したがって、二重接続に対するアーキテクチャ３Ｃに対して、ＭｅＮＢは、ターゲットセルのセルアクセスモード及び／またはＣＳＧ  ＩＤ及び／またはＳｅＮＢ（ＨｅＮＢ）によりサービングされるターゲットセルのＰＬＭＮ  ＩＤ及び／またはＣＳＧメンバーシップ状態指示と共に、Ｅ-ＲＡＢ修正指示メッセージ（または新規メッセージまたは他の既存のメッセージ）をＭＭＥにより以前に（ｅａｒｌｉｅｒ）転送できる。
【００７１】
分離ベアラオプションに対して、ＭＭＥがＤＬ  ＧＴＰ  ＩＤに関する修正と転送階層アドレスを無視することを指示するために、表１に示すＥ-ＲＡＢ修正指示メッセージは、以下の表３に従って修正されてできる。表３は、本発明の一実施の形態にかかるＥ-ＲＡＢ修正指示メッセージの例示を示す。
【００７２】
【表３】
0006423072.tif 000004
【００７３】
Ｉｎｄｉｃａｔｉｏｎ  ｏｆ  ｉｇｎｏｒｉｎｇ  ｔｈｅ  ｍｏｄｉｆｉｃａｔｉｏｎ  ＩＥがＥ-ＲＡＢ修正指示メッセージ内に含まれると、ＭＭＥは、同じＥ-ＲＡＢに対するＴｒａｎｓｐｏｒｔ  Ｌａｙｅｒ  Ａｄｄｒｅｓｓ  ＩＥ及びＤＬ  ＧＴＰ  ＴＥＩＤ  ＩＥを修正されるものと取り扱わなくても良く、これによって分離ベアラオプションに対して実際に修正されない。
【００７４】
ステップＳ１４２０にて、ＭＭＥ及びＳ-ＧＷは、ベアラ修正を行うことができる。ステップＳ１４３０にて、Ｓ-ＧＷとＭｅＮＢ／ＳｅＮＢ（ＨｅＮＢ）との間に終了マーカパケットが交換されることができる。
【００７５】
ターゲットセルのセルアクセスモード及び／またはＣＳＧ  ＩＤ及び／またはＳｅＮＢ（ＨｅＮＢ）によりサービングされるターゲットセルのＰＬＭＮ  ＩＤ及び／またはＣＳＧメンバーシップ状態指示をＭｅＮＢから受信する際に、ＭＭＥは、ＵＥのＣＳＧメンバーシップ状態を検証する。ステップＳ１４４０にてＵＥが検証を通過すると、ＭＭＥは、ＵＥの検証されたＣＳＧメンバーシップ状態と共に、Ｅ-ＲＡＢ修正確認メッセージをＭｅＮＢに転送する。または、検証されたＣＳＧメンバーシップ状態が新規メッセージまたは他の既存のメッセージを介して転送されることができる。ステップＳ１４４０は、二重接続に対するアーキテクチャ１Ａにだけ適用されることができる。二重接続に対するアーキテクチャ３Ｃに対して、ステップＳ１４４０を必要としないときもある。したがって、二重接続に対するアーキテクチャ３Ｃに対して、ＭｅＮＢは、ＵＥの検証されたＣＳＧメンバーシップ状態と共に、Ｅ-ＲＡＢ修正確認メッセージ（または新規メッセージまたは他の既存のメッセージ）をより以前にＭｅＮＢに転送できる。
【００７６】
分離ベアラオプションに対して、表２に示すＥ-ＲＡＢ修正確認メッセージは、表４に従って修正されることができ、これは、表３に示すＥ-ＲＡＢ修正指示メッセージに対する応答である。表４は、本発明の一実施の形態にかかるＥ-ＲＡＢ修正確認メッセージの例示を示す。
【００７７】
【表４】
0006423072.tif 000005
【００７８】
対応するＥ-ＲＡＢは、Ｅ-ＲＡＢ修正確認メッセージのＥ-ＲＡＢ  Ｍｏｄｉｆｙ  Ｌｉｓｔ  ＩＥ内に含まれなければならず、新規指示として具現されることができる。
【００７９】
代案的に、ステップＳ１４４０にてＵＥが検証を通過しないと、ＭＭＥは、ＵＥの検証されたＣＳＧメンバーシップ状態と共に、失敗メッセージ（または新規メッセージまたは他の既存のメッセージ）をＭｅＮＢに転送できる。または、ＭＭＥは、ＵＥがメンバーでないことを指示するＣＳＧメンバーシップ状態と共に、Ｅ-ＲＡＢ修正確認メッセージ（または新規メッセージまたは他の既存のメッセージ）を転送できる。ステップＳ１４４０は、二重接続に対するアーキテクチャ１Ａだけに適用されることができる。二重接続に対するアーキテクチャ３Ｃに対して、ステップＳ１４４０を必要としないときもある。したがって、二重接続に対するアーキテクチャ３Ｃに対して、ＭｅＮＢは、ＵＥの検証されたＣＳＧメンバーシップ状態と共に、失敗メッセージ（または新規メッセージまたは他の既存のメッセージ）をＭｅＮＢにより以前に転送できる。
【００８０】
ステップＳ１４５０にて、ＭｅＮＢは、ＵＥの最終ＣＳＧメンバーシップ状態をＳｅＮＢに通報するために、新規メッセージ（または新規ＩＥを有する既存のメッセージ）を転送できる。ターゲットセルがハイブリッドモードであると、ＣＳＧメンバーシップ状態がトゥルー（ｔｒｕｅ）である場合、ＳｅＮＢは、ＵＥがメンバーであると取扱うことができる。それとも、ＳｅＮＢは、ＵＥを非-メンバーとしてダウングレード（ｄｏｗｎｇｒａｄｅ）するか、またはＵＥを接続解除（ｄｉｓｃｏｎｎｅｃｔ）でき、ＳｅＮＢは、ＣＳＧメンバーシップ状態に関してこのようなＵＥに対するＵＥコンテクストを更新できる。ターゲットセルが閉鎖モードであると、ＣＳＧメンバーシップ状態がトゥルーである場合、ＳｅＮＢは、ＵＥをメンバーとして取扱うことができる。それとも、ＳｅＮＢは、このようなベアラを解除できる。
【００８１】
検証失敗が発生すると、すなわち、ステップＳ１４５０にてＵＥが検証を通過しないと、ＭｅＮＢは、ＳｅＮＢに失敗の理由を指示するために、原因値を利用してＳｅＮＢ解除を開始する。または、ＭｅＮＢは、ＵＥを非-メンバーとして取扱うようにＳｅＮＢに指示できる。
【００８２】
図１５は、本発明の一実施の形態にかかる二重接続に対するアクセス制御及び／またはメンバーシップ検証を行う方法の他の例示を示す。図１５は、検証失敗が発生する場合に対応する。ステップＳ１５００ないしＳ１５１０は、図１４のステップＳ１４００ないしＳ１４１０と同一である。
【００８３】
ステップＳ１５２０にて、ＭＭＥは、ＵＥのＣＳＧメンバーシップ状態を検証し、そして／またはアクセス制御を行う。
【００８４】
ステップＳ１５３０にて、ＵＥに対して検証失敗が発生すると、ＭＭＥは、非-メンバーであることを指示する検証されたＣＳＧメンバーシップ状態と共に、失敗メッセージ（例として、Ｅ-ＲＡＢ修正失敗メッセージまたは他のメッセージ）を転送する。または、ＭＭＥは、ＵＥがメンバーでないことを指示するＣＳＧメンバーシップ状態と共に、Ｅ-ＲＡＢ修正確認メッセージを転送できる。二重接続に対するアーキテクチャ３Ｃに対して、ステップＳ１５１０及びＳ１５３０は、完全に新規メッセージを意味できる。ＭＭＥは、対応するＥ-ＲＡＢに対してＳｅＮＢへの専用ベアラ非活性手順をトリガーリングしなくても良い（メンバーシップ検証に失敗）。
【００８５】
Ｅ-ＲＡＢ失敗メッセージを受信する時に、ステップＳ１５４０にて、ＭｅＮＢは、次のうちのいずれか一つを行うことができる。
【００８６】
ＭｅＮＢは、Ｓ１  ＵＥコンテクスト解除手順をトリガーリングでき、このとき、ＵＥベアラの全てが解除される。
【００８７】
ＭｅＮＢがＳｅＮＢにベアラを付加すると、ＭｅＮＢは、付加決定を取消すことができ、これは、ＭｅＮＢが以前のＧＴＰ（ＧＰＲＳ  ｔｕｎｎｅｌｉｎｇ  ｐｒｏｔｏｃｏｌ）トンネルにＥ-ＲＡＢをサービングし続けることを意味する。
【００８８】
ＳｅＮＢがハイブリッドモードであると、ＭｅＮＢは、付加決定を維持でき、Ｅ-ＲＡＢをＳｅＮＢにオフロードでき、ＳｅＮＢは、ＵＥを非-メンバーとして取扱うことができる。
【００８９】
ステップＳ１５５０にて、ＭｅＮＢは、ＳｅＮＢ解除メッセージまたはＸ２  ＵＥコンテクスト解除メッセージをＳｅＮＢに通報するための原因値と共に、ＳｅＮＢに転送できる。代案的に、ステップＳ１５５０にて、ＭｅＮＢは、ＳｅＮＢがハイブリッドモードであると、ＵＥのＣＳＧメンバーシップ状態をＳｅＮＢに通報できる。したがって、ＳｅＮＢは、ＵＥを非-メンバーとして取扱うことができる。
【００９０】
図１６は、本発明の一実施の形態にかかる二重接続に対するアクセス制御及び／またはメンバーシップ検証を行う方法の他の例示を示す。図１６もまた、検証失敗が発生した場合に対応する。ステップＳ１６００ないしＳ１６１０は、図１４のステップＳ１４００ないしＳ１４１０と同一である。
【００９１】
ステップＳ１６２０にて、ＭＭＥは、ＵＥのＣＳＧメンバーシップ状態を検証し、そして／またはアクセス制御を行う。ＵＥに対して検証失敗が発生すると、ＭＭＥは、原因値と共に直接Ｓ１  ＵＥコンテクスト解除手順をトリガーリングでき、このとき、ＵＥベアラの全てが解除されることができる。または、ＭＭＥは、原因値と共にＭＭＥにより開始される分離（ｄｅｔａｃｈ）手順をトリガーリングできる。原因値は、ＣＳＧメンバーシップ検証／アクセス制御失敗を指示できる。
【００９２】
ステップＳ１６３０にて、ＭｅＮＢは、ＳｅＮＢに通報するために、原因値と共にＳｅＮＢ解除メッセージまたはＸ２ＵＥコンテクスト解除メッセージをＳｅＮＢに転送できる。
【００９３】
図１７は、本発明の一実施の形態にかかる二重接続に対するアクセス制御及び／またはメンバーシップ検証を行う方法の他の例示を示す。図１７の実施の形態は、図１１に示すＳｅＮＢ付加手順にまた基盤すると仮定されるが、本発明の実施の形態は、これに限定されるものではない。本発明の実施の形態に対して他の手順が利用されることができる。本発明の実施の形態によれば、ＭｅＮＢがＨｅＮＢであるＳｅＮＢを付加することに決定した以後に、ＭｅＮＢは、まずＭＭＥへのアクセス制御及び／またはメンバーシップ検証の要請を開始し、以後にＳｅＮＢ付加手順は、下記のように始める。
【００９４】
ステップＳ１７００にて、ＭｅＮＢは、ターゲットセルＩＤ、ＣＳＧ  ＩＤ、及び／またはターゲットセルのアクセスモードを利用するアクセス制御またはメンバーシップ検証及び／または（ＵＥにより報告される）ＵＥのＣＳＧメンバーシップ状態の要請を転送する。ターゲットセルＩＤ、ＣＳＧ  ＩＤ、及び／またはターゲットセルのアクセスモードは、より以前にＸ２セットアップ要請／応答メッセージを介してＭｅＮＢにより獲得されることができる。以後に、ＭＭＥは、アクセス制御またはメンバーシップ検証を行うことができる。
【００９５】
ステップＳ１７１０にて、ＵＥのＣＳＧメンバーシップ状態を検証した以後に、ＭＭＥは、ＵＥがアクセス制御を通過したかどうかに関する検証された結果をＭｅＮＢに通報する。すなわち、ＭＭＥは、ＵＥがメンバーであるかどうかを指示する、ＵＥのＣＳＧメンバーシップ状態を転送できる。検証された結果は、既存のメッセージ、または新規メッセージ、または既存／新規メッセージ内のＩＥを介して転送されることができる。
【００９６】
ステップＳ１７２０にて、ＭｅＮＢは、ＣＳＧメンバーシップ状態指示と共にＳｅＮＢ付加要請メッセージをＳｅＮＢ（ＨｅＮＢ）に転送する。ＣＳＧメンバーシップ状態指示は、受信された検証された結果により指示されるＵＥがメンバーであるかどうかを指示する。ＣＳＧメンバーシップ状態指示は、ＣＳＧメンバーシップ状態指示ＩＥでありうる。したがって、ＳｅＮＢ（ＨｅＮＢ）は、受信されたＣＳＧメンバーシップ状態指示に応じて、ＵＥをメンバーまたは非-メンバーとして取扱うことができる。
【００９７】
以後に、正規ＳｅＮＢ付加手順が行われることができる。すなわち、図１１のステップＳ１１０１ないしＳ１１６４は、このようなステップに対して変化がないから、そのまま行われることができる。
【００９８】
図１８は、本発明の一実施の形態にかかる二重接続に対するアクセス制御及び／またはメンバーシップ検証を行う方法の他の例示を示す。本発明のこのような実施の形態によれば、ＭｅＮＢは、ＭｅＮＢの各々の隣接ＨｅＮＢセルに対応する、ＵＥのＣＳＧメンバーシップ状態のリストを獲得できる。詳細には、ＭｅＮＢは、Ｘ２設定／応答メッセージを介してＨｅＮＢのアクセスモードのリスト、及び／またはＣＳＧ  ＩＤ、及び／または隣接ＨｅＮＢセルＩＤのリストを獲得できる。
【００９９】
ステップＳ１８００にて、ＵＥがアタッチ（ａｔｔａｃｈ）されるか、または新規サービスまたは他の手順を要請する時、ＭｅＮＢは、初期ＵＥメッセージ、アップリンクＮＡＳメッセージ、または他のメッセージによりＭＭＥにＵＥのＣＳＧメンバーシップ状態のリストを提供できる。または、ＭＭＥは、ＭｅＮＢの隣接ＨｅＮＢセルＩＤ、及び／またはＨｅＮＢセルのアクセスモードのリスト、及び／またはＣＳＧ  ＩＤを有することができる。
【０１００】
ＵＥのＣＳＧメンバーシップ状態のリストを受信する時に、ＭＭＥは、各々のＨｅＮＢセルＩＤに対応する、ＵＥのＣＳＧメンバーシップ状態を確認する。ステップＳ１８１０にて、互いに異なる手順に従って初期コンテクストセットアップ要請メッセージ、ＵＥコンテクスト修正要請メッセージ、Ｓ１ハンドオーバ要請メッセージ、経路スイッチ要請承認メッセージまたは他のメッセージのうちのいずれか一つによりＵＥのＣＳＧメンバーシップ状態の全体リストをＭｅＮＢに提供できる。
【０１０１】
ＵＥのＣＳＧメンバーシップ状態のリストを受信する時に、ＭｅＮＢがＳｅＮＢ付加手順を行うターゲットセルに応じて、ＭｅＮＢはリストを維持でき、リストを以後に利用する準備をすることができる。ステップＳ１８２０にて、ＭｅＮＢは、ＣＳＧメンバーシップ状態指示と共に、ＳｅＮＢ付加要請メッセージをＳｅＮＢ（ＨｅＮＢ）に転送する。以後に、正規ＳｅＮＢ付加手順が行われることができる。すなわち、図１１のステップＳ１１０１ないしＳ１１６４は、このようなステップに対して変化がないから、そのまま行われることができる。
【０１０２】
図１９は、本発明の一実施の形態にかかるアクセス制御を行う方法の一例示を示す。
【０１０３】
ステップＳ１９００にて、第１ｅＮＢは、ＵＥのＣＳＧメンバーシップ状態をＨｅＮＢである、第２ｅＮＢに転送する。ＵＥのＣＳＧメンバーシップ状態は、ＳｅＮＢ付加要請メッセージを介して転送されることができる。
【０１０４】
ステップＳ１９１０にて、第１ｅＮＢは、第２ｅＮＢのセルアクセスモードまたはＣＳＧ  ＩＤのうち、少なくとも一つを第２ｅＮＢから受信する。第２ｅＮＢのセルアクセスモードまたはＣＳＧ  ＩＤのうち、少なくとも一つは、ＳｅＮＢ付加要請承認メッセージを介して受信されることができる。第２ｅＮＢのセルアクセスモードは、ハイブリッドモードでありうる。
【０１０５】
第１ｅＮＢは、第２ｅＮＢのセルアクセスモード、ＣＳＧ  ＩＤ、またはＵＥのＣＳＧメンバーシップ状態のうち、少なくとも一つをＥ-ＲＡＢ修正指示メッセージを介して、ＭＭＥにまた転送できる。Ｅ-ＲＡＢ修正指示メッセージは、二重接続のための分離ベアラに対するＥ-ＲＡＢの修正を無視する指示を含むことができる。第１ｅＮＢは、Ｅ-ＲＡＢ修正確認メッセージを介して、ＭＭＥからＵＥの検証されたＣＳＧメンバーシップ状態をさらに受信することができる。
【０１０６】
ステップＳ１９２０にて、第１ｅＮＢは、ＵＥの検証されたＣＳＧメンバーシップ状態を第２ｅＮＢに転送する。
【０１０７】
図２０は、本発明の一実施の形態にかかるアクセス制御を行う方法の他の例示を示す。
【０１０８】
ステップＳ２０００にて、ＨｅＮＢである第２ｅＮＢは、ＵＥのＣＳＧメンバーシップ状態を第１ｅＮＢから受信する。ＵＥのＣＳＧメンバーシップ状態は、ＳｅＮＢ付加要請メッセージを介して受信されることができる。
【０１０９】
ステップＳ２０１０にて、第２ｅＮＢは、第２ｅＮＢのセルアクセスモードまたはＣＳＧ  ＩＤのうち、少なくとも一つを第１ｅＮＢに転送する。第２ｅＮＢのセルアクセスモードまたはＣＳＧ  ＩＤのうち、少なくとも一つは、ＳｅＮＢ付加要請承認メッセージを介して転送されることができる。第２ｅＮＢのセルアクセスモードは、ハイブリッドモードでありうる。
【０１１０】
ステップＳ２０１０にて、第２ｅＮＢは、ＵＥの検証されたＣＳＧメンバーシップ状態を第１ｅＮＢから受信する。第２ｅＮＢは、ＵＥのＣＳＧメンバーシップ状態とＵＥの検証されたＣＳＧメンバーシップ状態とが同じである場合に、ＵＥをメンバーとして取扱うことができる。または、ＵＥのＣＳＧメンバーシップ状態とＵＥの検証されたＣＳＧメンバーシップ状態とが同一でない場合に、第２ｅＮＢは、ＵＥを非-メンバーとして取扱うことができる。
【０１１１】
図２１は、本発明の一実施の形態にかかるアクセス制御を行う方法の一例示を示す。
【０１１２】
ステップＳ２１００にて、第１ｅＮＢは、ＵＥのＣＳＧメンバーシップ状態をＨｅＮＢである第２ｅＮＢに転送する。ＵＥのＣＳＧメンバーシップ状態は、ＳｅＮＢ付加要請メッセージを介して転送されることができる。
【０１１３】
ステップＳ２１１０にて、第２ｅＮＢは、第２ｅＮＢのセルアクセスモードまたはＣＳＧ  ＩＤのうち、少なくとも一つを第１ｅＮＢに転送する。第２ｅＮＢのセルアクセスモードまたはＣＳＧ  ＩＤのうち、少なくとも一つは、ＳｅＮＢ付加要請承認メッセージを介して転送されることができる。第２ｅＮＢのセルアクセスモードは、ハイブリッドモードでありうる。
【０１１４】
ステップＳ２１２０にて、第１ｅＮＢは、第２ｅＮＢのセルアクセスモード、ＣＳＧ  ＩＤ、またはＵＥのＣＳＧメンバーシップ状態のうち、少なくとも一つをＥ-ＲＡＢ修正指示メッセージを介してＭＭＥに転送できる。Ｅ-ＲＡＢ修正指示メッセージは、二重接続のための分離ベアラに対してＥ-ＲＡＢの修正を無視する指示を含むことができる。
【０１１５】
ステップＳ２１３０にて、第１ｅＮＢは、ＵＥの検証されたＣＳＧメンバーシップ状態をＭＭＥからＥ-ＲＡＢ修正確認メッセージを介して受信することができる。
【０１１６】
ステップＳ２１４０にて、第１ｅＮＢは、ＵＥの検証されたＣＳＧメンバーシップ状態を第２ｅＮＢに転送する。
【０１１７】
図２２は、本発明の実施の形態が具現される無線通信システムを示す。
【０１１８】
ＭｅＮＢ２２００は、プロセッサ（ｐｒｏｃｅｓｓｏｒ）２２０１、メモリ（ｍｅｍｏｒｙ）２２０２及び送受信部（ｔｒａｎｓｃｅｉｖｅｒ）２２０３を含むことができる。プロセッサ２２０１は、本明細書で説明された機能、過程及び／または方法を具現するように構成されることができる。無線インターフェースプロトコルの階層は、プロセッサ２２０１により具現化されることができる。メモリ２２０２は、プロセッサ２２０１に接続されて、プロセッサ２２０１を駆動するための多様な情報を格納する。送受信部２２０３は、プロセッサ２２０１に接続されて、無線信号を転送及び／または受信する。
【０１１９】
ＳｅＮＢまたはＭＭＥ２２１０は、プロセッサ２２１１、メモリ２２１２及び送受信部２２１３を含むことができる。プロセッサ２２１１は、本明細書で説明された機能、過程及び／または方法を具現するように構成されることができる。無線インターフェースプロトコルの階層は、プロセッサ２２１１により具現化されることができる。メモリ２２１２は、プロセッサ２２１１に接続されて、プロセッサ２２１１を駆動するための多様な情報を格納する。送受信部２２１３は、プロセッサ２２１１に接続されて、無線信号を転送及び／または受信する。
【０１２０】
プロセッサ２２０１、２２１１は、ＡＳＩＣ（ａｐｐｌｉｃａｔｉｏｎ-ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ２２０２、２２１２は、ＲＯＭ（ｒｅａｄ-ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部２２０３、２２１３は、無線周波数信号を処理するためのベースバンド回路を含むことができる。実施の形態がソフトウェアにより具現化される時、上述の技法は、上述の機能を行うモジュール（過程、機能など）により具現化されることができる。モジュールは、メモリ２２０２、２２１２に格納され、プロセッサ２２０１、２２１１により実行されることができる。メモリ２２０２、２２１２は、プロセッサ２２０１、２２１１の内部または外部にあることができ、周知の多様な手段によりプロセッサ２２０１、２２１１に接続されることができる。
【０１２１】
前述した例示的なシステムにおいて、前述した本発明の特徴によって具現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
0006423072.tif 000006
【図２】
0006423072.tif 000007
【図３】
0006423072.tif 000008
【図４】
0006423072.tif 000009
【図５】
0006423072.tif 000010
【図６】
0006423072.tif 000011
【図７】
0006423072.tif 000012
【図８】
0006423072.tif 000013
【図９】
0006423072.tif 000014
【図１０】
0006423072.tif 000015
【図１１】
0006423072.tif 000016
【図１２】
0006423072.tif 000017
【図１３】
0006423072.tif 000018
【図１４】
0006423072.tif 000019
【図１５】
0006423072.tif 000020
【図１６】
0006423072.tif 000021
【図１７】
0006423072.tif 000022
【図１８】
0006423072.tif 000023
【図１９】
0006423072.tif 000024
【図２０】
0006423072.tif 000025
【図２１】
0006423072.tif 000026
【図２２】
0006423072.tif 000027